(57)【要約】  本発明は、レーザーダイオード駆動制御信号（５）から変調されたレーザーダイオード駆動制御信号（５１）を生成するための回路（１００）に関している。本発明によれば、前記回路（１００）は、前記レーザーダイオード駆動制御信号（５）を、変調信号を用いて変調するためのＲＦ変調器（６）を備え、前記回路（１００）は、前記ＲＦ変調器（６）の適合化のための適合化手段（９）を備え、前記適合化手段（９）は、少なくとも１つのレーザーダイオード動作情報に依存するように構成されているか又は構成可能である。
2015514332.tif 000002
【特許請求の範囲】
【請求項１】
レーザーダイオード駆動制御信号（５）から、変調されたレーザーダイオード駆動制御信号（５１）を生成するための回路（１００）において、
前記回路（１００）は、前記レーザーダイオード駆動制御信号（５）を、変調信号を用いて変調するためのＲＦ変調器（６）を備え、
前記回路（１００）は、前記ＲＦ変調器（６）の適合化のための適合化手段（９）を備え、
前記適合化手段（９）は、少なくとも１つのレーザーダイオード動作情報に依存するように構成されているか又は構成可能であることを特徴とする、回路（１００）。
【請求項２】
前記レーザーダイオード動作情報は、レーザーダイオード動作電流強度Ｉ及び／又はレーザーダイオード動作電圧Ｕを含む、請求項１記載の回路（１００）。
【請求項３】
前記回路（１００）は、前記レーザーダイオード動作電流強度Ｉに対する前記レーザーダイオード動作電圧Ｕの比から品質信号（１２）を生成するように構成された評価回路（１０）を備えている、請求項２記載の回路（１００）。
【請求項４】
前記回路（１００）は、前記レーザーダイオード動作情報を測定するための方向性結合器（２０）を備えている、請求項１記載の回路（１００）。
【請求項５】
前記ＲＦ変調器（６）は、１５０ＭＨｚ以上１．５ＧＨｚ以下の変調周波数を有する変調信号、有利には２００ＭＨｚ以上１．０ＧＨｚ以下の変調周波数を有する変調信号を生成するように構成されている、請求項１から４いずれか１項記載の回路（１００）。
【請求項６】
前記適合化手段（９）は、前記ＲＦ変調器（６）の適合化を、前記ＲＦ変調器（６）の出力インピーダンスのインピーダンス整合によって、及び／又は、前記変調信号の変調周波数の適合化によって、実施するように構成されている、請求項１から５いずれか１項記載の回路（１００）。
【請求項７】
前記適合化手段（９）は、前記レーザーダイオード駆動制御信号（５）が前記変調信号又はさらなる別の変調信号を用いて変調されるように構成されている、請求項１から６いずれか１項記載の回路（１００）。
【請求項８】
請求項１から７いずれか１項記載の回路（１００）を備えていることを特徴とする、レーザーダイオード収容部（１）。
【請求項９】
請求項８記載のレーザーダイオード収容部（１）を備え、レーザーダイオード駆動制御信号（５）が画像データ信号であることを特徴とするプロジェクタ、特にイメージプロジェクタ（４）。
【請求項１０】
請求項８記載のレーザーダイオード収容部（１）とレーザーダイオード（２）とを備えていることを特徴とするプロジェクタ、特にイメージプロジェクタ（４）。
【請求項１１】
レーザーダイオード駆動制御信号（５）から、変調されたレーザーダイオード駆動制御信号（５１）を生成するための回路（１００）におけるＲＦ変調器（６）の適合化ための方法において、
前記回路（１００）は、前記レーザーダイオード駆動制御信号（５）を変調信号を用いて変調するためのＲＦ変調器（６）を備え、
第１ステップにおいて、少なくとも１つのレーザーダイオード動作情報を求め、
第２ステップにおいて、前記レーザーダイオード動作情報に依存して、前記回路（１００）の適合化手段（９）が、前記変調信号を生成する前記ＲＦ変調器（６）の適合化を実施するようにしたことを特徴とする方法。
【請求項１２】
前記レーザーダイオード動作情報として、レーザーダイオード動作電流強度Ｉ及び／又はレーザーダイオード動作電圧Ｕが測定される、請求項１１記載の方法。
【請求項１３】
前記レーザーダイオード動作情報は、放射された電圧Ｕｈと反射された電圧Ｕｒとを含み、前記放射された電圧Ｕｈ及び前記反射された電圧Ｕｒは、方向性結合器（２０）を用いて測定される、請求項１２記載の方法。
【請求項１４】
前記レーザーダイオード駆動制御信号（５）は、前記変調信号を用いて変調され、該変調信号は、１５０ＭＨｚ以上１．５ＧＨｚ以下の変調周波数を有し、有利には２００ＭＨｚ以上１．０ＧＨｚ以下の変調周波数を有する、請求項１１から１３いずれか１項記載の方法。
【請求項１５】
前記適合化手段（９）は、前記変調信号の変調周波数を適合化する、請求項１４記載の方法。
【請求項１６】
前記適合化手段（９）は、前記ＲＦ変調器（６）の出力インピーダンスを整合する、請求項１１から１５いずれか１項記載の方法。
【請求項１７】
第３ステップにおいて、少なくとも１つのさらなるレーザーダイオード動作情報を求め、第４ステップにおいて、前記回路（１００）の適合化手段（９）が、前記さらなるレーザーダイオード動作情報に依存して、さらなる別の変調信号を生成するために前記ＲＦ変調器（６）を適合化するように構成されている、請求項１１から１６いずれか１項記載の方法。
【請求項１８】
請求項１から７いずれか１項記載の回路（１００）を備えていることを特徴とする、レーザーダイオード収容部（１）の製造方法。
【発明の詳細な説明】
【技術分野】
【０００１】
本発明は、請求項１の上位概念による半導体レーザー駆動制御信号を生成する回路から進行する。
【背景技術】
【０００２】
特にレーザーベースの画像投影システムへのレーザー光源の使用は、非常に大きな色空間を有する画像の生成を可能にする。しかしながらその画質は、いわゆるスペックルによって悪化する。このようなスペックルは、例えばレーザー光のようなコヒーレント光が表面に入射し、そこで分散した場合に発生する。例えばこれは投影スクリーン上にレーザー光が入射するようなケースに当て嵌まる。ここでは、観察点においてすべての散乱中心の光波が相互に重なり合うことによって、一方では、非構造的な干渉を引き起こし、そこでは重なり合った光波が互いに打ち消し合って当該観察点において暗い斑点を生じる。また他方では、構造的な干渉が引き起こされ、そこでは重複した光波が増幅されることによって明るい光点が生じてしまう。このようなことは、全体的に粗い画像印象、いわゆるレーザースペックルをもたらす。この現象は、画像品質を低下させるので、スペックルの低減がことさらに望まれている。
【０００３】
国際公開第９７／０２５０７号明細書では、円錐形の反射器によって取り囲まれている回転ミラーを含んだ光学装置が開示されている。この回転ミラーの回転に基づいて、レーザー光は、円錐状の反射器の外表面上を誘導される。それに伴い急速な動きが生じると、干渉作用の混合が起こり、それによってもはや視覚的に感知不能となる。
【０００４】
しかしながら、この装置の欠点は、機械的可動部品が使用されていることであり、そのため実現には、特にモバイルプロジェクターでの実現にはかなりのコストがかかってしまう。またその他にも、モバイルシステムにとって重要な課題である小型化は不可能である。
【０００５】
それ故に本発明の課題は、従来技術の欠点を有さず、比較的簡単に実現することの可能な、回路、レーザーダイオード収容部、プロジェクタないしイメージプロジェクタ、レーザーダイオードを備えたイメージプロジェクタ、前記回路の適合化方法並びに製造方法を提供することにある。
【０００６】
発明の開示
本発明は、請求項１の上位概念によるレーザーダイオード駆動制御信号を生成するための回路から出発している。
【０００７】
本発明の核心は、レーザーダイオード駆動制御信号を、変調信号を用いて変調するためのＲＦ変調器を備え、前記ＲＦ変調器の適合化のための適合化手段を備え、前記適合化手段が少なくとも１つのレーザーダイオード動作情報に依存するように構成されているか又は構成可能である回路にある。
【０００８】
本発明による回路、本発明によるレーザーダイオード収容部、本発明によるプロジェクタないしイメージプロジェクタ、レーザーダイオード駆動制御信号から変調されたレーザーダイオード駆動制御信号を生成するための回路におけるＲＦ変調器を適合化するための本発明による方法、並びにその他の独立請求項による製造方法は、従来技術に比べて、スペックル低減のための電子的な解決手段が得られる利点がある。この解決手段は、適合化手段の構成の、レーザーダイオード動作情報への依存性に基づく、ＲＦ変調器ないし変調信号の最適な（電力）適合化を有している。この適合化により、有利には、レーザーダイオード駆動制御信号の電力の最大部分をレーザーダイオードに結合させることが可能になる。反射電力成分は可及的に僅かに抑えられる。これにより、得られる電力から最大効率のレーザービームを生成することが可能になる。
【０００９】
これにより、レーザーベースの投影法の画質の大幅な向上が可能になる。なぜなら、比較的良好なスペックル低減が可能だからである。本発明による解決手段は、有利には電子的である。つまり機械的可動部品を省くことが可能になる。さらに有利には、当該回路を小型化することができ、それによって、多岐に亘るやり方で投影システム内への統合が可能になる。さらにこの回路は有利には、様々なレーザーダイオードや種々の線路長にも適合化できる。その際の適合化は自動化されて行われる。さらに有利には、この回路は、別のスペックル低減手段に組み合わせることもできるし、異なるメーカーのレーザーダイオードを用いて動作させることも可能である。この回路は、あらゆるレーザーベースの投影システムにも使用することが可能である。なぜなら、特に本発明によれば、コヒーレンス長の効果的な減少が直接レーザーダイオードで得られるからである。したがって、本発明は、モバイル用途に特に適している。この場合に可能なレーザーベースの投影システムとは、レーザー指針（レーザーポインター）やレーザー式離測定器などのような簡易システムからレーザープロジェクタのような画像投影システムなどに亘る。ＲＦ変調器ないし変調信号の使用状況への適合化によって、変調信号の電力は最適に使用され、それによって、とりわけ、比較的良好なスペックル低減が結果としてもたらされる。さらに有利には、当該回路の実現が比較的安価に行なわれる。本発明による回路は、有利には、全てのレーザーベースの画像投影システム、例えばハンディプロジェクターやヘッドアップディスプレイなどにおいて、スペックル低減のために使用できる。
【００１０】
本発明による回路の適合化手段は、有利には、回路の製造中に一度だけ構成され、この設定が維持される。この構成は、特定のタイプのレーザーダイオードの動作パラメータにもマッチするし、選択されたレーザーダイオードにもマッチする。しかしながらまた前記適合化手段は、構成可能に維持することも可能である。例えば、連続した投影動作中に、絶え間なくレーザーダイオード動作情報に依存するように構成されてもよい。さらに前記適合化手段は有利には、さらに別のレーザーダイオードのために構成可能であってもよい。それにより、レーザーダイオード収容部内で種々のレーザーダイオードの交換も可能になる。
【００１１】
本発明の有利な実施形態およびさらなる改善形態は、従属請求項並びに図面に基づく以下の説明から明らかとなる。
【００１２】
レーザーダイオード駆動制御信号の変調は、レーザーダイオードの異なる振動モードの励振、及び／又は、１つ以上の振動モード内のレーザー波長の同調を引き起こし、それに伴い例えばレーザーダイオードの比較的多くの振動モードの共通の励振によってレーザー光のコヒーレンス長の減少を引き起こす。（変調周期に比べて）比較的長い観察期間のために、拡張された波長スペクトルを有する状態が平均して生じている。この拡張された波長スペクトルは、コヒーレンス長の減少を引き起こす。低減したコヒーレンス長は、有利にはスペックルパターンにおいて比較的低いコントラストを生じる。
【００１３】
好ましくは、前記回路は、レーザーダイオード収容部に集積される。このレーザーダイオード収容部は、例えば収容部ソケット若しくはレーザーダイオードケーシングであってもよい。前記回路はまた、別個の構成グループと共に実現されてもよい。ＲＦ変調器ないしは変調信号の適合化によって、ＲＦ変調器によって生成される電力は、有利には、レーザーダイオードの動作の最も効果的な変調のためにレーザーダイオード内に入力される。好ましくは、前記回路は、複数のレーザーダイオードのために使用可能であるか、ないしは複数のレーザーダイオードのためにそれぞれ１つの回路が存在し得る。そのため例えば赤色、緑色および青色レーザーダイオードからなる３つのレーザーダイオードのために利用可能である。
【００１４】
前記適合化手段は、個別に構成されてもよいし、集積回路として構成されてもよい。この適合化手段は、有利には能動素子から構成されている。前記適合化手段は、好ましくは調整可能なキャパシタンス（例えば、バラクタダイオード）を含む。さらに好ましくは、別個のキャパシタンスが接続されていてもよい。これらのキャパシタンスは、さらに有利には微小電気機械システム（ＭＥＭＳ）として、若しくは、ＭＯＳＦＥＴ（金属酸化膜半導体電界効果トランジスタ）として形成される。ＲＦ変調器の出力インピーダンスレベルの変更は、有利には、並列なトランジスタ段のスイッチオン／オフによって達成可能である。さらに有利には、複数のインダクタンスがスイッチを介してオン／オフされ、これらのインダクタンスは、好ましくは直列に接続される。
【００１５】
好ましい構成例によれば、レーザーダイオード動作情報は、レーザーダイオード動作電流強度Ｉ及び／又はレーザーダイオード動作電圧Ｕを含む。その際には、高周波変調成分のみが大きさ及び位相に関して検出され、ないしは品質信号を生成するために関連付けられる。それにより有利には、ＲＦ変調器の適合化を比較的正確に、レーザーダイオードの動作パラメータに整合させることが可能になる。
【００１６】
レーザーダイオード動作電流強度の高周波成分の検出およびレーザーダイオード動作電圧の高周波成分の検出は、さまざまな方法で行うことができる。ある実現例によれば、２つの信号が、１つの高速サンプリング要素を用いて所定の時間領域内で検出され、時間分解能のサンプリングによって、信号の大きさ及び位相が決定される。
【００１７】
さらなる実施形態によれば、２つの信号は同一若しくは類似の周波数の高周波基準信号と混合することにより検出される。結果として生じた信号からは、高周波成分の大きさと位相が算出される。
【００１８】
好ましい実施形態によれば、前記回路は、レーザーダイオード動作電流強度Ｉに対するレーザーダイオード動作電圧Ｕの比から品質信号を生成するように構成されている。品質信号の生成により、有利には、品質信号の評価だけが必要とされる。
【００１９】
好ましい実施形態によれば、前記回路は、レーザーダイオード動作情報を測定するための方向性結合器を含む。この方向性結合器によれば、有利には、ＲＦ変調器から供給される変調電力に関する情報と、レーザーダイオードから反射された変調電力に関する情報とが得られるようになる。給電された変調電力と反射された変調電力を比較することによって、品質信号の検出も可能になる。
【００２０】
好ましい実施形態によれば、前記ＲＦ変調器は、１５０ＭＨｚ以上１．５ＧＨｚ以下の変調周波数を有する変調信号を生成するように構成されており、有利には２００ＭＨｚ以上１．０ＧＨｚ以下の変調周波数を有する変調信号を生成するように構成されている。レーザービームが画像を画素毎に書き込む撮像投影システムの場合、変調周波数に対する下限値は、投影された画像の画素数と、当該投影システムの画像繰り返し周波数の積から得られる。この変調周波数に対する下限値は、さらに付加的な係数、例えば、値２又は値３若しくはそれ以上の値を有する付加的係数で乗算することができる。このようなレーザーダイオード駆動制御信号の高周波な変調によって、有利には、特に効果的なスペックル低減が可能になる。
【００２１】
好ましい実施形態によれば、前記適合化手段は、前記ＲＦ変調器の適合化を、前記ＲＦ変調器の出力インピーダンスのインピーダンス整合によって、及び／又は、変調信号の変調周波数の適合化によって、実施するように構成されている。これにより、有利には、ＲＦ変調器の可変で比較的効果の高い適合化が可能になる。有利には、変調信号の変調周波数の適合化は、ＲＦ変調器の一定の出力インピーダンスの元で行われ、又は、前記ＲＦ変調器の出力インピーダンスのインピーダンス整合は、変調信号の一定の変調周波数のもとで行われる。
【００２２】
さらに別の好ましい実施形態によれば、前記適合化手段は、前記レーザーダイオード駆動制御信号が所定の変調信号又はさらなる別の変調信号を用いて変調されるように構成されている。この場合、このさらなる変調信号は、所定の反復によって生じ、変調信号の改善された適合化に相当する（レーザーダイオードの変更された動作パラメータにほぼ基づいて）。このさらなる変調信号は、例えば他の変調周波数を有していてもよいが、当該変調信号と同じ変調周波数を有し得る。前記適合化手段は、例えば投影動作時（繰り返し）に再構成可能である。そのため有利にはそのつど適合化された構成が投影動作モード中に可能となる。
【００２３】
本発明の別の態様は、レーザーダイオード収容部、特に、前述した実施形態のいずれかによる回路を備えた収容部ソケット又はレーザーダイオードケーシングに関する。
【００２４】
本発明のさらに別の態様は、プロジェクタ、特に、先の実施形態のいずれかによる回路を備えたレーザーダイオード収容部を有するイメージプロジェクタに関している。有利には、２つ、３つ又はそれ以上のレーザーダイオード収容部が設けられていてもよい。
【００２５】
本発明のさらに別の態様は、プロジェクタ、特に、先の実施形態のいずれかによる回路を備えたレーザーダイオード収容部と、レーザーダイオードとを有するイメージプロジェクタに関している。ここでも有利には、２つ、３つ又はそれ以上のレーザーダイオード収容部が設けられていてもよい。
【００２６】
本発明のさらに別の態様は、レーザーダイオード駆動制御信号から変調されたレーザーダイオード駆動制御信号を生成する回路におけるＲＦ変調器を適合化するための方法に関している。
【００２７】
本発明の有利な恒例例によれば、レーザーダイオード動作情報として、レーザーダイオード動作電流強度、及び／又は、レーザーダイオード動作電圧が測定される。それにより、有利には、ＲＦ変調器のレーザーダイオード動作パラメータへの適合化が比較的正確に実施可能になる。
【００２８】
好ましい実施形態によれば、レーザーダイオード動作情報が方向性結合器を用いて測定される。この方向性結合器により、有利には、ＲＦ変調器から供給された変調電力に関する情報と、レーザーダイオードから反射された変調電力に関する情報とが得られるようになる。給電された変調電力と反射された変調電力の比較によって、品質信号の検出も可能になる。この高周波変調信号は、有利には、付加的にレーザー駆動制御パルスに重畳される。この重畳は、イメージプロジェクタのもとでは、好ましくは、ビデオアンプの前後で行われる。
【００２９】
好ましい実施形態によれば、レーザーダイオード駆動制御信号は、変調信号を用いて変調され、該変調信号は、１５０ＭＨｚ以上１．５ＧＨｚ以下の変調周波数を有し、有利には２００ＭＨｚ以上１．０ＧＨｚ以下の変調周波数を有している。レーザービームが画像を画素毎に書き込む撮像投影システムの場合、変調周波数に対する下限値は、投影された画像の画素数と、当該投影システムの画像繰り返し周波数の積から得られる。この変調周波数に対する下限値は、さらに付加的な係数、例えば、値２又は値３若しくはそれ以上の値を有する付加的係数で乗算することができる。このようなレーザーダイオード駆動制御信号の高周波な変調によって、有利には、特に効果的なスペックル低減が可能になる。
【００３０】
好ましい実施形態によれば、前記適合化手段は、変調信号の変調周波数を適合化する。別の有利な実施形態によれば、前記適合化手段は、ＲＦ変調器の出力インピーダンスを適合化する。それにより、有利には、ＲＦ変調器ないしは変調信号の可変で比較的効率的な適合化が可能になる。有利には、変調信号の変調周波数の適合化は、ＲＦ変調器の一定の出力インピーダンスの元で行われ、又は、前記ＲＦ変調器の出力インピーダンスのインピーダンス整合は、変調信号の一定の変調周波数のもとで行われる。
【００３１】
本発明のさらに好ましい実施形態によれば、第３ステップにおいて、少なくとも１つのさらなるレーザーダイオード動作情報を求め、第４ステップにおいて、前記回路の適合化手段が、前記さらなるレーザーダイオード動作情報に依存して、さらなる変調信号を生成するために前記ＲＦ変調器を適合化するように構成される。この場合、このさらなる変調信号は、所定の反復によって生じ、変調信号の改善された適合化に相当する（レーザーダイオードの変更された動作パラメータにほぼ基づいて）。このさらなる変調信号は、例えば他の変調周波数を有していてもよいが、当該変調信号と同じ変調周波数を有し得る。前記適合化手段は、例えば投影動作時（繰り返し）に再構成可能である。そのため有利にはそのつど適合化された構成が投影動作モード中に可能となる。
【００３２】
本発明のさらに別の態様は、先行する請求項のいずれかによる回路を備えたレーザーダイオード収容部の製造方法に関している。
【００３３】
本発明の実施形態は、以下の図面に示されており、さらに以下の明細書において詳細に説明される。
【図面の簡単な説明】
【００３４】
【図１】本発明による例示的な実施形態の回路を示した図
【図２】さらなる例示的な実施形態による回路を示した図
【図３】本発明による実施例のイメージプロジェクタとレーザーダイオード収容部を示した図
【図４】本発明による実施例のイメージプロジェクタを示した図
【図５ａ】本発明による実施例の適合化回路の例示的な実施形態を示した図
【図５ｂ】本発明による実施例の適合化回路の例示的な実施形態を示した図
【図５ｃ】本発明による実施例の適合化回路の例示的な実施形態を示した図
【図５ｄ】本発明による実施例の適合化回路の例示的な実施形態を示した図
【００３５】
本発明の実施形態
本願明細書の種々異なる図面において、同一の部分には常に同一の参照符号が付されている。そのため、原則として、それぞれの説明は一度だけであり、説明の重複は省く。
【００３６】
図１には、本発明による例示的な一実施形態の回路１００が概略的に示されており、この回路１００は、破線で囲まれた領域内に配置された複数の構成部品を含んでいる。この回路１００の入力側には、レーザーダイオード駆動制御信号５が供給されている。当該回路１００は、ＲＦ変調器６と、適合化回路９と、抵抗１１と、評価回路１０を含んでいる。レーザーダイオード駆動制御信号５は、変調されていない信号であってもよいし、既に変調された信号であってもよい。また連続的若しくは非連続的な破線状の信号であってもよい。ＲＦ変調器６は、前記レーザーダイオード駆動制御信号５を変調する変調信号を生成している。レーザーダイオード駆動制御信号５は、それによってＲＦ変調器６と後続の整合回路９によって変調されたレーザーダイオード駆動制御信号５１に変換される。変調されたレーザーダイオード駆動制御信号５１は、レーザーダイオード２を駆動制御する。ここではレーザーダイオード動作電圧Ｕとレーザーダイオード動作電流強度Ｉが測定される。レーザーダイオード動作電圧Ｕ及びレーザーダイオード動作電流Ｉからは、評価回路１０において品質信号１２が求められ、この品質信号１２は、前記適合化回路９に直接伝送される。
【００３７】
１５０ＭＨｚから１．５ＧＨｚの間の領域にある周波数を有するレーザーダイオードのためのレーザーダイオード駆動制御信号を高周波変調することによって、スペックルを低減することが可能である。レーザーダイオードの多くの振動モードがこの変調によって励振され、このことは、レーザーダイオードから放射される光スペクトルの拡幅につながる。レーザーダイオードの調整は、放射されたレーザービームの時間的コヒーレンスを損なわせ、それによってそのコヒーレンス長の低減に結びつく。このことは、大幅に低減されたスペックルを有する投影画像に現れる。スペックルコントラストのみが低減されるだけでなく、スペックル自体もより細粒となり、したがって観察者にとっては邪魔にならない。レーザーダイオード駆動制御信号のこのような高周波変調は、好ましくは、ＲＦドライバによってさまざまな方法で投影システム内に統合されてもよい。前記回路１００は、レーザーダイオードにおいて、レーザーダイオードケーシング、ないしは、レーザーダイオード収容部に直接統合されてもよい。しかしながら前記回路１００は、レーザーダイオードケーシング外部に配置されていてもよい。ＲＦ変調器６ないし変調信号の適合化のために、２つの方法が（個別に若しくは共通に用いるために）設けられている。最初に変調周波数の適合化が好ましくは同等に維持される変調器の出力インピーダンスのもとで行われ、第２に、インピーダンス整合が行われる。すなわち、当該変調器の出力インピーダンスの変更が、能動素子及び／又は受動素子によって行われる。このことは、有利には、調整可能なキャパシタンスによって、若しくは、適合化回路内の複数のトランジスタのスイッチオン／オフによって行うことができる。
【００３８】
図２には、本発明のさらに別の例示的な実施形態による回路１００が示されており、この回路１００は、破線で取り囲まれた領域内に配置された複数の構成部品を含む。この回路１００が図１に示す回路１００と異なっている点は、方向性結合器２０が当該回路中に配置されている点にある。方向性結合器２０は、レーザーダイオード駆動制御信号５１から、所定の電圧Ｕｒと電圧Ｕｈを求める。その際には、前記電圧Ｕｈが、給電された電力（照射波）の強度に対する尺度として用いられ、前記電圧Ｕｒは、反射された電力（反射波）の強度に対する尺度として用いられる。これらの電圧Ｕｒ及びＵｈは、評価回路１０内で評価され、その際に品質信号１２が求められる。この品質信号１２は、直接適合化回路９に伝送される。
【００３９】
図３は、例示的実施形態によるイメージプロジェクタ４と、レーザーダイオード収容部１を示している。レーザーダイオード収容部１は、ケーシング３を含んでいる。このレーザーダイオード収容部１は、前記レーザーダイオード２を収容している。好ましくは、この実施形態では、図１による本発明の回路１００が前記レーザーダイオード収容部１に配置されている。イメージプロジェクタ４ないし画像電子ユニット４０は、画像信号４５をビデオ増幅器７に送信する。このビデオ増幅器７は、レーザーダイオード駆動制御信号５を送信する。このレーザーダイオード駆動制御信号５は、既に画像情報と共に変調され、回路１００に供給される。この回路１００については図１による回路１００が当てはまる。当該回路１００では、前記レーザーダイオード駆動制御信号５から、変調されたレーザーダイオード駆動制御信号５１が生成される。この回路１００は、ビデオエレクトロニクス用のケーシング内に集積されていてもよい。また前記回路１００は、ビデオエレクトロニクス用のケーシング外に配置されていてもよい。
【００４０】
図４には、本発明による、プロジェクタ、特にイメージプロジェクタ４の例示的な実施形態が示されている。このイメージプロジェクタ４は、好ましくは図２の本発明による回路を有している。変調されたレーザーダイオード駆動制御信号５１は、当該イメージプロジェクタ４から、従来のレーザーダイオード収容部１、ないしはレーザーダイオード２へ伝送される。
【００４１】
図５ａ，図５ｂ，図５ｃ及び図５ｄは適合化回路の例示的な実施形態を概略的に示している。図５ａには、適合化回路９が、トランジスタ５０１と、２つの設定可能なキャパシタンス５０２，５０４と、設定可能なインダクタンス５０３と共にＰＩ素子の形態で示されている。このＰＩ素子は、ローパスフィルタの実施形態で表され、電流及び電圧比を所望の方法で変換している。公知の文献からはさらなる実施形態（さらに別のフィルタ次数やＴ型構造部など）が公知である。図５ｂには、並列に接続された３つのトランジスタ５０５を有するさらなる適合化回路９が示されており、ここでの三つ目の回路点が示しているのは、並列に接続されたさらに別のトランジスタが配置され得ることである。この回路によれば、変更可能なインピーダンスレベルが設定される。この目的のために、所望のインピーダンスレベルに応じて複数のトランジスタがオンオフされる。図５ｃには、適合化回路９のさらなる要素が、スイッチ５０７を介してオンオフ可能なインダクタンス５０６と共に示されている。この装置を用いることによって、インピーダンスの虚数部と、インダクタンスの絶対値とが変更可能である。複数の要素の直列接続により、多段階に設定可能なインピーダンス虚数部を得ることができる。
【００４２】
図５ｄには、適合化回路９のさらなる要素が３つの並列接続されたキャパシタンス５０９と共に示されている。これらのキャパシタンスは、それぞれ各スイッチ５０８を介してオンオフ可能である。ここでの３番目の回路点も、さらなるキャパシタンスを配置することが可能であることを示している。これらのキャパシタンスの並列接続によって、インピーダンスの虚数部が、段階的に設定可能となる。
【図１】
2015514332.tif 000003
【図２】
2015514332.tif 000004
【図３】
2015514332.tif 000005
【図４】
2015514332.tif 000006
【図５ａ】
2015514332.tif 000007
【図５ｂ】
2015514332.tif 000008
【図５ｃ】
2015514332.tif 000009
【図５ｄ】
2015514332.tif 000010
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
レーザーダイオード駆動制御信号（５）から、変調されたレーザーダイオード駆動制御信号（５１）を生成するための回路（１００）において、
前記回路（１００）は、前記レーザーダイオード駆動制御信号（５）を、変調信号を用いて変調するためのＲＦ変調器（６）を備え、
前記回路（１００）は、前記ＲＦ変調器（６）の適合化のための適合化手段（９）を備え、
前記適合化手段（９）は、少なくとも１つのレーザーダイオード動作情報に依存するように構成されていることを特徴とする、回路（１００）。
【請求項２】
前記レーザーダイオード動作情報は、レーザーダイオード動作電流強度Ｉ及び／又はレーザーダイオード動作電圧Ｕを含む、請求項１記載の回路（１００）。
【請求項３】
前記回路（１００）は、前記レーザーダイオード動作電流強度Ｉに対する前記レーザーダイオード動作電圧Ｕの比から品質信号（１２）を生成するように構成された評価回路（１０）を備えている、請求項２記載の回路（１００）。
【請求項４】
前記回路（１００）は、前記レーザーダイオード動作情報を測定するための方向性結合器（２０）を備えている、請求項１記載の回路（１００）。
【請求項５】
前記ＲＦ変調器（６）は、１５０ＭＨｚ以上１．５ＧＨｚ以下の変調周波数を有する変調信号を生成するように構成されている、請求項１から４いずれか１項記載の回路（１００）。
【請求項６】
前記変調信号は、２００ＭＨｚ以上１．０ＧＨｚ以下の変調周波数を有する、請求項５記載の回路（１００）。
【請求項７】
前記適合化手段（９）は、前記ＲＦ変調器（６）の適合化を、前記ＲＦ変調器（６）の出力インピーダンスのインピーダンス整合によって、及び／又は、前記変調信号の変調周波数の適合化によって、実施するように構成されている、請求項１から６いずれか１項記載の回路（１００）。
【請求項８】
前記適合化手段（９）は、前記レーザーダイオード駆動制御信号（５）が前記変調信号又はさらなる別の変調信号を用いて変調されるように構成されている、請求項１から７いずれか１項記載の回路（１００）。
【請求項９】
請求項１から８いずれか１項記載の回路（１００）を備えていることを特徴とする、レーザーダイオード収容部（１）。
【請求項１０】
請求項９記載のレーザーダイオード収容部（１）を備え、レーザーダイオード駆動制御信号（５）が画像データ信号であることを特徴とするプロジェクタ（４）。
【請求項１１】
請求項９記載のレーザーダイオード収容部（１）とレーザーダイオード（２）とを備えていることを特徴とするプロジェクタ（４）。
【請求項１２】
前記プロジェクタ（４）は、イメージプロジェクタである、請求項１０又は１１記載のプロジェクタ（４）。
【請求項１３】
レーザーダイオード駆動制御信号（５）から、変調されたレーザーダイオード駆動制御信号（５１）を生成するための回路（１００）におけるＲＦ変調器（６）の適合化ための方法において、
前記回路（１００）は、前記レーザーダイオード駆動制御信号（５）を、変調信号を用いて変調するためのＲＦ変調器（６）を備え、
第１ステップにおいて、少なくとも１つのレーザーダイオード動作情報を求め、
第２ステップにおいて、前記レーザーダイオード動作情報に依存して、前記回路（１００）の適合化手段（９）が、前記変調信号を生成する前記ＲＦ変調器（６）の適合化を実施するようにしたことを特徴とする方法。
【請求項１４】
前記レーザーダイオード動作情報として、レーザーダイオード動作電流強度Ｉ及び／又はレーザーダイオード動作電圧Ｕが測定される、請求項１３記載の方法。
【請求項１５】
前記レーザーダイオード動作情報は、放射された電圧Ｕｈと反射された電圧Ｕｒとを含み、前記放射された電圧Ｕｈ及び前記反射された電圧Ｕｒは、方向性結合器（２０）を用いて測定される、請求項１４記載の方法。
【請求項１６】
前記レーザーダイオード駆動制御信号（５）は、前記変調信号を用いて変調され、該変調信号は、１５０ＭＨｚ以上１．５ＧＨｚ以下の変調周波数を有する、請求項１３から１５いずれか１項記載の方法。
【請求項１７】
前記変調信号は、２００ＭＨｚ以上１．０ＧＨｚ以下の変調周波数を有する、請求項１６記載の方法。
【請求項１８】
前記適合化手段（９）は、前記変調信号の変調周波数を適合化する、請求項１６又は１７記載の方法。
【請求項１９】
前記適合化手段（９）は、前記ＲＦ変調器（６）の出力インピーダンスを整合する、請求項１３から１８いずれか１項記載の方法。
【請求項２０】
第３ステップにおいて、少なくとも１つのさらなるレーザーダイオード動作情報を求め、第４ステップにおいて、前記回路（１００）の適合化手段（９）が、前記さらなるレーザーダイオード動作情報に依存して、さらなる別の変調信号を生成するために前記ＲＦ変調器（６）を適合化するように構成されている、請求項１３から１９いずれか１項記載の方法。
【請求項２１】
請求項１から８いずれか１項記載の回路（１００）を、レーザーダイオード収容部に設けるステップを備えていることを特徴とする、レーザーダイオード収容部（１）の製造方法。
【国際調査報告】
2015514332.tif 000011
2015514332.tif 000012
2015514332.tif 000013
2015514332.tif 000014